(57)【特許請求の範囲】
【請求項１】
芯型の外周に内面被覆フィルムを巻きつけ、内面被覆フィルムはメッシュ芯材の上にアルミ箔を貼り付けたアルミシートであり、このアルミシートを外側にして芯型の外周に巻きつけ、その内面被覆フィルムの外周に空間をあけて外型を配置し、両型間の空間内に発泡材料を充填し発泡させて筒を成型すると共に前記アルミシートの芯材を筒の内周面に密着させ、その後に前記外型及び芯型を取り外して筒の内周面が前記内面被覆フィルムで被覆され、当該内面被覆フィルムのアルミ箔が筒の内周面に露出するダクト管を製造し、そのダクト管の外周面に外面被覆フィルムを被覆して密着させることを特徴とする住宅用ダクト管の製造方法。
【請求項２】
発泡材製の住宅用ダクト管において、当該住宅用ダクト管は、請求項１記載の製造方法で製造された発泡材料製の筒の内周面に内面被覆フィルムが密着され、当該内面被覆フィルムはメッシュ芯材の上にアルミ箔を貼り付けたアルミシートであり、当該アルミシートのアルミ箔が前記筒の内周面に露出し、筒の外周面に外面被覆フィルムが密着被覆され、当該外面被覆フィルムがアルミ箔であることを特徴とする住宅用ダクト管。
【請求項３】
住宅用ダクト管がその軸方向に二本以上連結された住宅用ダクト管の連結構造であって、住宅用ダクト管は請求項２記載の住宅用ダクト管であり、両住宅用ダクト管がソケットにより連結され、ソケットは前記住宅用ダクト管内に嵌入可能な外径の筒状であり、外周面に外側に突出する鍔を備え、当該鍔は住宅用ダクト管の内径よりも大きな外径であり、当該ソケットの軸方向一端側が一方の住宅用ダクト管の連結端部内に嵌入され、他端側が他方の住宅用ダクト管の連結端部内に嵌入され、前記鍔が前記両連結端部内に嵌入され、両連結端部の端面同士が突き合わされて両住宅用ダクト管が連結されたことを特徴とする住宅用ダクト管の連結構造。
【発明の詳細な説明】
【技術分野】
【０００１】
本発明は、一戸建て住宅をはじめとする各種住宅（建物）の天井裏、屋根裏などに施工される住宅用ダクト管の製造方法、住宅用ダクト管及び住宅用ダクト管同士の連結構造に関するものである。
【背景技術】
【０００２】
一戸建て住宅をはじめとする各種住宅（建物）の天井裏、屋根裏などには、冷・暖房用気体、換気用気体等を流すダクトが配管施工されている。ダクトとして使用される従来のダクト用管は次のようにして製造されていた。図４（ａ）に示す発泡ウレタン製、他の発泡材料製のブロックＡから、円筒ダクトを数個に区画した端面円弧状のダクト部品Ｂを切り出し、これらダクト部品Ｂを図４（ｂ）に示すように周方向に連結して円筒状のダクト用管Ｆにしていた。この場合ダクト部品Ｂの幅方向一端の連結凸部Ｃと他端の連結凹部Ｄとを連結して筒状にし、連結部分Ｅを接着剤で接着している。
【発明の開示】
【発明が解決しようとする課題】
【０００３】
前記ダクト用管の製造方法と、その製造方法で製造されるダクト用管には次のような課題がある。
（１）ブロックＡからダクト部品Ｂを一つ一つ削り出す必要があるため、ダクト部品Ｂの製作に多大な労力を要し、材料の無駄も多く、結果的にダクト用管Ｆがコスト高になる。
（２）完成したダクト用管Ｆの内周面は、削り出したままの発泡材料がむき出しになっており、内部をエアが通過する際、発泡材料の微細な粉末や、各種有害物質（例えば、フロン、ジクロロメタン、ヘキサン、ベンゼン、トルエン、アセトン、酢酸等）がエアに混ざって室内に排出されてしまい、それらが人体に悪影響を与える。この課題を防止するために内周面にアルミ箔を貼り付けると、その貼り付けに接着剤が使用されるため、内部を通過するエアと共に接着剤に含まれる有害物質も室内に排出されて人体に悪影響を与える。また、アルミ箔の貼り付け作業が面倒である。
（３）ダクト用管Ｆの内周面を材料を削り出したままの粗面にしておくと、内部を通過するエアの抵抗が大きくなり馬力の大きな送風機が必要になる。馬力の大きな送風機は大型、コスト高になる。
（４）ダクト部品Ｂ同士が連結されているため耐外圧強度が弱い。
（５）連結部分Ｅから暖気や冷気が漏れる虞があり断熱効率が十分ではない。
【課題を解決するための手段】
【０００４】
本発明は円筒状で内周面にフィルムが貼り付けられたダクト用管を成型により製造できる住宅用ダクト管の製造方法と、ダクト用管の材料である発泡材料に含まれる有害物質が内部を通過するエアに混入せず、強度や断熱性も十分な住宅用ダクト管と、そのダクト用管同士を長手方向に連結した住宅用ダクト管の連結構造を提供するものである。
【０００５】
本件出願の住宅用ダクト管の製造方法は、芯型の外周に内壁被覆フィルムを巻きつけておき、その周囲に外型を配置し、その両型間に発泡材料を充填、発泡させて、内周面が内面被覆フィルムで被覆された筒型に成型する方法である。また、前記ダクト用管製造方法において、成型後の筒の外周面を外面被覆フィルムで被覆することもできる。
【０００６】
本件出願の住宅用ダクト管は、発泡材料で一体成型した筒の内周面又は内周面及び外周面をフィルムで被覆したものである。
【０００７】
本件出願の住宅用ダクト管の連結構造は、外周に鍔が形成された筒状のソケットで、前記ダクト用管を二本長手方向に連結させる構造であって、一方又は他方のダクト用管の軸方向端部内面に前記鍔を嵌入させる凹部を形成し、両ダクト用管内にソケットの一端側を嵌入し、且つ、鍔を凹部に嵌入して、両ダクト用管の軸方向端面同士を突き合わせて両ダクト用管を連結したものである。
【発明の効果】
【０００８】
本発明の住宅用ダクト管の製造方法は次のような効果がある。
（１）芯型の外周に内壁被覆フィルムを巻きつけておき、その周囲に外型を配置し、その両型間に発泡材料を充填、発泡させて、内周面が内面被覆フィルムで被覆された筒型に成型するため、住宅用ダクト管の内周面に発泡材料が露出せず、内部を通過するエアに有害物質が混ざらない住宅用ダクト管を製造することができる。また、筒内部をエアが通過する際の抵抗も小さくなり、エアをスムースに通過させることができるようになる。
（２）内壁被覆フィルムによるダクト用管内周面の被覆に接着剤が必要ないため、接着剤に由来する有害物質の発生もない。また、予め芯型の外周に内壁被覆フィルムを巻きつけて成型するため、成型後は、離型剤なしで芯型を容易に引き抜くことができ、離型剤に由来する有害物質も付着しない。
（３）発泡材料を外型と芯型の間に入れて一体成型するため、従来のような材料削り出し作業や材料連結作業が一切不要となり、容易に住宅用ダクト管を製造できるようになる。発泡材料の無駄もなく、住宅用ダクト管のコスト減に資する。
（４）継ぎ目のない住宅用ダクト管を製造できるため、耐外圧強度や断熱性を十分に備える住宅用ダクト管を製造できる。
（５）成型後の筒の外周面を外面被覆フィルムで被覆すれば、更に耐外圧強度が補強された住宅用ダクト管を製造することができる。
【０００９】
本発明の住宅用ダクト管は次のような効果がある。
（１）発泡材料製の筒の内周面が内面被覆フィルムで被覆されているので、エアの通路に発泡材料が露出せず、有害物質がエアに混ざることがなくなる。また、筒内部をエアが通過する際の抵抗も小さくなり、エアをスムースに通過させることができるようになる。
（２）筒が発泡材料で一体成型されており接着剤を使用していないため、接着剤に由来する有害物質も発生しない。また、継ぎ目がないため、耐外圧強度や断熱性も十分確保できる。
（３）筒の外周面も外面被覆フィルムで被覆されているので、住宅用ダクト管の耐外圧強度が更に向上する。
【００１０】
本発明の住宅用ダクト管の連結構造は、一方又は他方の住宅用ダクト管の軸方向端部内面に前記鍔を嵌入させる凹部を形成し、両住宅用ダクト管内にソケットの一端側を嵌入し、且つ、鍔を凹部に嵌入して、両住宅用ダクト管の軸方向端面同士を突き合わせて両住宅用ダクト管を連結したので、二本の住宅用ダクト管を長手方向に密に連結することができ、エア漏れなく連通させることができる。また、ソケットが外部から見えないように連結されるため、連結部の外観も良い。
【発明を実施するための最良の形態】
【００１１】
（住宅用ダクト管の製造方法の実施形態１）
本発明の住宅用ダクト管の製造方法の実施形態の一例を図１、図２に基づいて説明する。この住宅用ダクト管の製造方法は、図１に示すような、発泡材料で一体成型された筒２の内周面３が内面被覆フィルム４で、外周面５が外面被覆フィルム６で夫々被覆された住宅用ダクト管１を製造する方法であって、以下の手順で住宅用ダクト管１を製造する。
（１）図２（ａ）に示すように、芯型７の外周に内面被覆フィルム４を予め巻いておく。内面被覆フィルム４としては、例えばグラスウールメッシュやポリプロピレンシート等の各種芯材（図示しない）の上にアルミ箔を貼り付けたアルミシート等を使用する。この場合、芯型７に離型剤を塗布する必要はない。
（２）図２（ｂ）に示すように、内面被覆フィルム４を巻いた芯型７の外側に外型８を配置する。
（３）両型７、８間に発泡材料を充填し、発泡させて筒２を完成させる。このとき、芯型７に巻きつけた内面被覆フィルム４は筒２の内周面３に密着し、筒２の内周面３を被覆する。発泡材料の発泡倍率は例えば原液対比３０倍とする等、任意とすることができる。また、発泡後の発泡材料の密度も任意とすることができる。
（４）外型８を外し、芯型７を抜いて、筒２を取り出す。なお、前記芯型７を抜く際に離型剤は必要ない。
（５）筒２の外周面５に外面被覆フィルム６を接着剤等によって密着させて貼り付け、図１に示すような住宅用ダクト管１を完成させる。外面被覆フィルム６としては、例えばアルミ箔等を使用する。
【００１２】
（住宅用ダクト管の製造方法の実施形態２）
本発明の住宅用ダクト管の製造方法では、外型８の内面に予め外面被覆フィルム６を備えておき、両型７、８間に発泡材料を充填し、発泡させることによって、筒２の外周面５に外面被覆フィルム６を密着させることもできる。この場合、外面被覆フィルム６の貼り付けには接着剤が不要である。
【００１３】
（住宅用ダクト管の製造方法のその他の実施形態）
筒２の外周面５の外面被覆フィルム６を省略して住宅用ダクト管１を完成させることもできる。
【００１４】
（住宅用ダクト管の実施形態１）
本発明の住宅用ダクト管の実施形態の一例を図１に基づいて説明する。本発明の住宅用ダクト管１は、前記製造方法によって製造される住宅用ダクト管であって、図１に示すように、発泡材料で一体成型された筒２の内周面３が内面被覆フィルム４で、外周面５が外面被覆フィルム６で夫々被覆されてなるものである。
【００１５】
図１の筒２は、発泡材料で一体成型された筒状部材である。筒２の成型に用いられる発泡材料としては、例えばウレタンや発泡スチロール等、任意の発泡材料を用いることができるが、断熱性のある素材を使用することが望ましい。筒２の発泡材料の発泡倍率は例えば原液対比３０倍とする等、任意とすることができる。また、発泡後の発泡材料の密度も任意とすることができる。また、この筒２は、蛇腹状に成型して可撓性を備えるものとすることもできる。
【００１６】
図１の内面被覆フィルム４は、筒２の成型時に内周面３に密着させて備えられ、内周面３を被覆する表面が平滑なフィルム状部材である。この内面被覆フィルム４の筒２の内周面３への密着は、接着剤を用いずに行われている。この内面被覆フィルム４には、例えばグラスウールメッシュやポリプロピレンシート等の各種芯材（図示しない）の上にアルミ箔を貼り付けたアルミシート等を使用することができる。もっとも、内面被覆フィルム４は前記アルミシートには限られず、樹脂膜等、有害物質を発散せず、表面が平滑あれば任意のフィルムや膜やシート状部材等を用いることができる。この内面被覆フィルム４を備えることにより、筒２の内部空間１３を通過するエアに、発泡材料の微粉末や、各種有害物質（例えば、フロン、ジクロロメタン、ヘキサン、ベンゼン、トルエン、アセトン、酢酸等）が混入するおそれが殆どなくなり、ダクトを通過したエアが人体に悪影響を与えることがなくなる。また、内面被覆フィルム４の表面が平滑であるため、通過するエアの抵抗が少なくなり、スムースにエアを通過させることができるようになる。
【００１７】
図１の外面被覆フィルム６は、筒２の外周面５に密着させて備えられ、外周面５を被覆するフィルム状部材である。この外面被覆フィルム６は、筒２の成型後に接着剤を用いて外周面５に貼り付けることも、筒２の成型時に外型８内に備えておき、接着剤を用いずに密着させることもできる。外面被覆フィルム６としては前記内面被覆フィルム４と同様に、アルミ箔や樹脂膜等、有害物質を発散しないものであれば任意のフィルムや膜やシート状部材等を用いることができる。この外面被覆フィルム６を備えることにより、住宅用ダクト管１の強度や耐水性を向上させることができる。
【００１８】
（住宅用ダクト管の実施形態２）
本発明の住宅用ダクト管では、筒２の外周面５の外面被覆フィルム６を省略することもできる。
【００１９】
（住宅用ダクト管の連結構造の実施形態１）
本発明の住宅用ダクト管の連結構造の実施形態の一例を図３に基づいて説明する。この連結構造は、図３に示すように、外周に鍔１１が形成された筒状のソケット１０を用いて、前記住宅用ダクト管１を二本長手方向に連結させる構造である。この連結構造によって二本の住宅用ダクト管１を連結させるには、図３に示すように、一方の住宅用ダクト管１（図中右側）の軸方向端部内面に前記鍔１１を嵌入させる凹部１２を形成し、その一方の住宅用ダクト管１の内部空間１３にソケット１０の一端側を嵌入し、且つ、鍔１１を凹部１２に嵌入し、他方の住宅用ダクト管１（図中左側）の内部空間１３にソケット１０の他端側を嵌入させて、両住宅用ダクト管１の軸方向端面同士を突き合わせて両住宅用ダクト管１を連結する。連結された二本の住宅用ダクト管１の内部空間１３同士は筒状のソケット１０によって連通され、エアを漏らさず通過させられる。また、ソケット１０の鍔１１が凹部１２内に嵌入されるため、ソケット１０と鍔１１のいずれも外周面５に露出せず、外観も良い。
【００２０】
（住宅用ダクト管の連結構造のその他の実施形態）
本発明の住宅用ダクト管の連結構造では、連結する二本の住宅用ダクト管１の双方の軸方向端部内側に凹部１２を備え、ソケット１０の鍔１１を双方の凹部１２内に半分ずつ嵌入させて、両住宅用ダクト管１の軸方向端面同士を突き合わせて両住宅用ダクト管１同士を連結させることもできる。この他にも、外周に鍔１１が形成された筒状のソケット１０を用いて、前記住宅用ダクト管１を二本長手方向に連結させられれば任意の構造とすることもできる。
【産業上の利用可能性】
【００２１】
本発明の住宅用ダクト管の製造方法、その製造方法で製造した住宅用ダクト管、住宅用ダクト管の連結構造は、エアダクト用の住宅用ダクト管に限らず、任意の管状部材に応用することもできる。
【図面の簡単な説明】
【００２２】
【図１】本発明の住宅用ダクト管の実施形態の一例を示す斜視図。
【図２】（ａ）（ｂ）は本発明の住宅用ダクト管の製造方法の実施形態の一例を示す斜視説明図。
【図３】本発明の住宅用ダクト管の連結構造の実施形態の一例を示す断面説明図。
【図４】（ａ）は、塊状の発泡材料からダクト用管の部品を切り出す様子を示す斜視説明図。（ｂ）は、従来のダクト用管を示す斜視説明図。
【符号の説明】
【００２３】
１  住宅用ダクト管
２  筒
３  内周面
４  内面被覆フィルム
５  外周面
６  外面被覆フィルム
７  芯型
８  外型
１０  ソケット
１１  鍔
１２  凹部
１３  内部空間
【図１】
0005108451.tif 000002
【図２】
0005108451.tif 000003
【図３】
0005108451.tif 000004
【図４】
0005108451.tif 000005